(57)【要約】【課題】通気フィルタとしてのマスク本体と顔面との間に隙間が生じてしまうことを確実に防止することと、良好な装用感が得られることの両方の特徴を兼備したマスクを提供することを目的とする。【解決手段】本発明では、通気フィルタとしてのマスク本体２の周辺部に無端形状の形状維持体３が配置されると共に、形状維持体の顔面当接側には肌密着性を有するジェル層４が形成されているマスクを提案する。形状維持体は、マスク本体側とジェル層側の夫々に対応して配置した形状維持部材と、両側の形状維持部材によって挟まれた可撓部材とから構成すれば、変形性が良く、形状維持体を、装用者の顔の形状に良く合わせた無端形状に変形して維持することができる。【選択図】図２
2011010903.tif 000002
【特許請求の範囲】
【請求項１】
通気フィルタとしてのマスク本体の周辺部に無端形状の形状維持体が配置されると共に、形状維持体の顔面当接側には肌密着性を有するジェル層が形成されていることを特徴とするマスク。
【請求項２】
形状維持体は、形状維持部材自体により構成されることを特徴とする請求項１に記載のマスク。
【請求項３】
形状維持体は、マスク本体側とジェル層側の夫々に対応して配置した形状維持部材と、両側の形状維持部材によって挟まれた可撓部材とから構成されることを特徴とする請求項１に記載のマスク。
【請求項４】
形状維持部材は、形状記憶合金、形状記憶樹脂、又は超弾性合金等の形状記憶素材であることを特徴とする請求項１〜３のいずれか１項に記載のマスク。
【請求項５】
肌密着性を有するジェルは親水性ジェルであることを特徴とする請求項１に記載のマスク。
【請求項６】
マスク本体を形状維持体に対して着脱可能に構成したことを特徴とする請求項１〜５までのいずれか１項に記載のマスク。
【発明の詳細な説明】
【技術分野】
【０００１】
本発明は、装用時に鼻と口を覆うことにより、塵埃やウィルス、花粉等の空気中の微細な異物の侵入を防いだり、患者等からの飛沫の拡散を防いだりするためのマスクに関する。
【背景技術】
【０００２】
従来の一般的な家庭用のマスクでは、装用時に、通気フィルタとしてのマスク本体と顔面との間に隙間が生じてしまうため、この隙間を通しての異物の侵入又は流出は防ぐことができない。このため、このような不具合を解決するための提案が従来からなされている。
【０００３】
例えば特許文献１に記載のものでは、通気フィルタとしてのマスク本体の周辺部に、高粘弾性の粘着剤として、アクリル酸化合物やゼラチン等の水溶性高分子等の高含水性のジェルを設置して、これにより顔面への密着を図っている。
【０００４】
しかしながらこのようなマスクにおいては、次のような問題点がある。
まず、高含水性のジェルの形状維持機能が低いため、顔面の運動や外力によるマスク本体の変形によって、マスク本体の一部が顔面から離れてしまい、そこに隙間が生じてしまうという問題点がある。
【０００５】
一方、他の従来技術として、特許文献２に記載のものでは、マスク本体の周辺部に独立気泡型または表面緻密層を有する連続気泡型の発泡部材と、この発泡部材の顔面に対する側の前面に設けられた接着性部材とから成る装着部を設置している。
【０００６】
このマスクでは、装用時に、装着部の発泡部材が、その柔軟性により顔面の凹凸に合わせて変形することにより、マスク本体の周辺部に隙間を無くし、そして接着性部材が顔面に接着するというものである。接着性部材としては、ポリアクリル酸系接着性物質を発泡部材に塗布して形成した接着剤層、接着テープ又は発泡部材に接着性物質を含浸させたもの等が挙げられている。
【０００７】
しかしながらこのようなマスクにおいては、次のような問題点がある。
即ち、このマスクにおいて、装着部を構成する発泡部材は、上述したように、その柔軟性により顔面の凹凸に合わせて変形させて、マスク本体の周辺部に隙間を無くすものであるから、形状維持機能は低く、それだけでは顔面の運動や外力によるマスク本体の変形によって、マスク本体の一部が顔面から離れてしまい、そこに隙間が生じてしまうことも起こり得るため、接着性部材が必須であり、必要な接着力も比較的大きい。このように比較的大きな接着力の接着剤が顔面に当接することは、肌に大きな違和感を感じさせて装用感が悪く、また女性が装用した場合には化粧崩れの原因ともなりかねない。
【先行技術文献】
【特許文献】
【０００８】
【特許文献１】特開平１１−１２８３７８号公報
【特許文献２】特開２００５−１３４９２公報
【発明の開示】
【発明が解決しようとする課題】
【０００９】
このように従来技術のマスクでは、通気フィルタとしてのマスク本体と顔面との間に隙間が生じてしまうことを確実に防止することと、良好な装用感が得られることの両方の特徴を兼備したものはなく、いずれかの側に問題点が生じてしまう。
【００１０】
そこで本発明では、このような両方の特徴を兼備するマスクを提供することを目的としている。
【課題を解決するための手段】
【００１１】
本発明では、上述した課題を解決するために、通気フィルタとしてのマスク本体の周辺部に無端形状の形状維持体が配置されると共に、形状維持体の顔面当接側には肌密着性を有するジェル層が形成されているマスクを提案する。
【００１２】
また本発明では、上記の構成において、形状維持体は、形状維持部材自体により構成されるマスクを提案する。
【００１３】
また本発明では、上記の構成において、形状維持体は、マスク本体側とジェル層側の夫々に対応して配置した形状維持部材と、両側の形状維持部材によって挟まれた可撓部材とから構成されるマスクを提案する。
【００１４】
また本発明では、上記の構成において、形状維持部材は、形状記憶合金、形状記憶樹脂、又は超弾性合金等の形状記憶素材であるマスクを提案する。
【００１５】
また本発明では、上記の構成において、肌密着性を有するジェルは親水性ジェルであるマスクを提案する。
【００１６】
また本発明では、以上の構成において、マスク本体を形状維持体に対して着脱可能に構成することを提案する。
【発明の効果】
【００１７】
本発明のマスクでは、形状維持体が、装用する人の鼻と口の周りに対応した無端形状に配置され、この無端環状の形状維持体により、装用者の鼻と口の周りの形状にある程度対応した状態において、形状維持体の顔面当接側に形成された肌密着性を有するジェル層が顔面の肌に密着する。
【００１８】
こうして無端形状の形状維持体の内外への空気流通はジェル層によって確実に阻止されるため、鼻と口に対する空気流通はマスク本体を通してのみとなり、塵埃やウィルス、花粉等の空気中の微細な異物がマスク本体と顔面との隙間から侵入したり、飛沫が外に拡散することを確実に防止することができる。
【００１９】
顔面への密着は親水性ジェル等のジェル層を介して行われるので、接着剤のように違和感を生じることなく、装用感が良好であり、女性が装用して化粧崩れを起こすこともない。
【００２０】
形状維持体は、形状維持部材自体から構成することもできるが、マスク本体側とジェル層側の夫々に対応して配置した形状維持部材と、両側の形状維持部材によって挟まれた可撓部材とから構成したものでは、マスク本体とジェル層のいずれも夫々の形状維持体により、良好に形状維持が行われると共に、これらの両側の形状維持部材によって可撓部材を挟持していることによって、変形性も良く、従って形状維持体を、装用者の顔の形状に良く合わせた無端形状に変形して維持することができる。
【００２１】
また本発明のマスクでは、マスク本体を形状維持体に対して着脱可能に構成すれば、マスク本体の交換により繰り返しの使用が可能となる。
【図面の簡単な説明】
【００２２】
【図１】図１は本発明のマスクの第１の実施の形態を装用状態において示す模式的斜視図である。
【図２】図２は図１の断面図である。
【図３】図３は本発明のマスクの第１の実施の形態の要部の拡大断面説明図である。
【図４】図４は本発明のマスクの第２の実施の形態の要部の拡大断面説明図である。
【図５】形状維持体の無端形状の例を示す模式的斜視図である。
【図６】形状維持体の無端形状の他の例を示す模式的斜視図である。
【発明を実施するための形態】
【００２３】
次に本発明の実施の形態を、添付図面を参照して説明する。
まず図において、符号１は本発明のマスクを概して示すもので、本発明のマスクは、通気フィルタとしてのマスク本体２の周辺部に無端形状の形状維持体３が配置されると共に、形状維持体３の顔面当接側には肌密着性を有するジェル層４が形成されている。
【００２４】
図２及び図３に示す第１の実施の形態においては、形状維持体３は、形状維持部材５自体により構成されているが、図４に示す第２の実施の形態においては、形状維持体３は、マスク本体２側とジェル層４側の夫々に対応して配置した形状維持部材５、５と、両側の形状維持部材５、５によって挟まれた可撓部材６とから構成されている。
【００２５】
ここで、まずマスク本体２としては、フィルター性能の高い不織布等の素材を用いることができる。また形状維持体３を構成する形状維持部材５としては、形状記憶合金、形状記憶樹脂、又は超弾性合金等の形状記憶素材を用いることができる。また肌密着性を有するジェルとしては親水性ジェルを用いることができる。また可撓部材７としてはシリコン樹脂その他の合成樹脂を用いることができる。
【００２６】
以上の構成において、本発明のマスク１では、形状維持体３が、装用者９の鼻と口の周りに対応した無端形状に配置されるので、この無端環状の形状維持体３の形状維持機能により、装用者６の鼻と口の周りの形状に、ある程度対応した状態において、形状維持体３の顔面当接側に形成された肌密着性を有するジェル層４が装用者６の顔面の肌に密着して隙間をつくらない。
【００２７】
こうして無端形状の形状維持体３の個所を通しての内外への空気流通はジェル層４によって確実に阻止されるため、鼻と口に対する空気流通はマスク本体２を通してのみとなり、従ってマスク本体２のフィルタ作用により、塵埃やウィルス、花粉等の空気中の微細な異物がマスク本体２と顔面との隙間から侵入したり、飛沫が外に拡散することを確実に防止することができる。
【００２８】
装用者６の顔面への密着は親水性ジェル等のジェル層４を介して行われるので、接着剤のように違和感を生じることがなく、装用感が良好であり、女性が装用して化粧崩れを起こすこともない。
【００２９】
上述したように形状維持体３は、形状維持部材５自体から構成することもできるが、マスク本体２側とジェル層４側の夫々に対応して配置した形状維持部材５、５により可撓部材７を挟んだ構成のものでは、マスク本体２とジェル層４のいずれもが夫々の形状維持体５、５により、良好に形状維持が行われると共に、これらの両側の形状維持部材５、５によって可撓部材７を挟持していることによって、変形性も良く、従って形状維持体３を、装用者６の顔の形状に良く合わせた無端形状に変形して維持することができる。
【００３０】
以上に説明した本発明のマスクにおいて、形状維持体３の無端形状は、例えば図５に示すように装用者６の鼻と口の周囲の比較的狭い範囲を囲む形状とする他、図６に示すように鼻と口の周囲の広い範囲を囲む形状とする等、適宜に構成することができる。
【００３１】
また以上に説明した本発明のマスクにおいては、例えばマスク本体２に、無端環状の形状維持体３に対応して剥離紙を有する接着テープ部（図示省略）を設けて、形状維持体３に対して着脱可能とすれば、所定期間使用したマスク本体２を、接着テープ部を剥がすことにより形状維持体３から外して、新しいマスク本体２を接着テープ部により貼り付けて固定して、繰り返しの使用が可能である。
【００３２】
尚、本発明のマスクは、以上の実施の形態では、装用して支持するための紐状や帯状の支持体を設けずに、専ら、ジェル層によって顔面に支持する構成としているが、支持体を設けた構成とすることもできる。
【符号の説明】
【００３３】
１              マスク
２              マスク本体
３              形状維持体
４              ジェル層
５              形状維持材
６              装用者
７              可撓部材
【図１】
2011010903.tif 000003
【図２】
2011010903.tif 000004
【図３】
2011010903.tif 000005
【図４】
2011010903.tif 000006
【図５】
2011010903.tif 000007
【図６】
2011010903.tif 000008